(57)【要約】【課題】指、掌、手の甲或いは腕に装着しても水の抵抗が少なく、しかも、伸縮性のバンド３を使用するので装着後に鏡部２の位置を簡便に変更することができる潜水用手鏡１を提供する。【解決手段】本発明の潜水用手鏡１は、平板形状を有し反射面を正面から見る正面視で横長の鏡部２と、鏡部２の長手方向ｘにおける両端近傍において鏡部２に係合する伸縮性のバンド３と、を備え、鏡部２は、長手方向ｘの幅が３ｃｍ〜１８ｃｍの範囲にあり、短手方向ｙの幅が２ｃｍ〜１０ｃｍの範囲にある。【選択図】図１
2017052298.tif 000002
【特許請求の範囲】
【請求項１】
平板形状を有し反射面を正面から見る正面視で横長の鏡部と、前記鏡部の長手方向における両端近傍において前記鏡部に係合する伸縮性のバンドと、を備え、
前記鏡部は、長手方向の幅が３ｃｍ〜１８ｃｍの範囲にあり、短手方向の幅が２ｃｍ〜１０ｃｍの範囲にある潜水用手鏡。
【請求項２】
前記バンドは前記鏡部の長手方向における両側面に係合する請求項１に記載の潜水用手鏡。
【請求項３】
前記鏡部の長手方向における両端近傍に前記バンドを通す通し孔が開口し、
前記バンドは前記通し孔に通されて前記鏡部と係合する請求項１に記載の潜水用手鏡。
【請求項４】
前記通し孔は前記鏡部の板厚方向に貫通する貫通孔からなる請求項３に記載の潜水用手鏡。
【請求項５】
前記鏡部は光を入反射する側の表面とは反対側の背面に前記通し孔を有するバンド保持部を備える請求項３に記載の潜水用手鏡。
【請求項６】
前記バンド保持部は前記鏡部の長手方向における一端近傍から他端近傍に亘って設置され、前記通し孔は前記鏡部の長手方向の一端近傍から他端近傍に亘って連通する請求項５に記載の潜水用手鏡。
【請求項７】
前記バンド保持部の両端部において開口する前記通し孔の開口面は前記鏡部の表面から背面に向かう方向の側に向く請求項６に記載の潜水用手鏡。
【請求項８】
前記通し孔は前記バンド保持部の両端部において内径が拡大する末広がりの形状を有する請求項６又は７に記載の潜水用手鏡。
【請求項９】
前記バンドは一本のエンドレス形状を有し、前記通し孔に通されて前記鏡部と係合する請求項５〜８のいずれか一項に記載の潜水用手鏡。
【請求項１０】
前記バンド保持部は、前記鏡部の短手方向における一端近傍に設置される第一のバンド保持部と他端近傍に設置される第二のバンド保持部とを有し、
前記バンドは前記第一のバンド保持部と前記第二のバンド保持部との間において８の字状に設置される請求項６〜９のいずれか一項に記載の潜水用手鏡。
【請求項１１】
前記バンド保持部は、前記鏡部の長手方向における一端近傍に設置される第三のバンド保持部と他端近傍に設置される第四のバンド保持部とを有し、
前記第三及び第四のバンド保持部の各前記通し孔は、前記鏡部の短手方向の一端近傍から他端近傍に亘って連通する請求項５に記載の潜水用手鏡。
【請求項１２】
前記バンドは一本のゴム紐からなる請求項１〜１１のいずれか一項に記載の潜水用手鏡。
【請求項１３】
前記鏡部は、光を入反射する側に凸の凸面鏡からなる請求項１〜１２のいずれか一項に記載の潜水用手鏡。
【請求項１４】
前記バンドは、前記鏡部の長手方向の両端から前記鏡部の長手方向の幅ＬのＬ／５以内の領域において前記鏡部に係合する請求項１〜１３のいずれか一項に記載の潜水用手鏡。
【請求項１５】
前記バンドは、前記鏡部の短手方向の両端から前記鏡部の短手方向の幅ＷのＷ／３以内の領域において前記鏡部に係合する請求項１〜１４のいずれか一項に記載の潜水用手鏡。
【請求項１６】
前記バンドは、無負荷時の初期長に対し少なくとも１．５倍の長さに伸長可能である請求項１〜１５のいずれか一項に記載の潜水用手鏡。
【発明の詳細な説明】
【技術分野】
【０００１】
本発明は、潜水用の手鏡に関する。
【背景技術】
【０００２】
海や川のレジャーとしてダイビングが普及している。ダイビングは、素潜りで、或いは、潜水服や空気ボンベを着用して潜水する。ダイビングは、水中を単独で遊泳する他に仲間と共に遊泳することが多い。ダイビングは水中メガネを着用するので、振り返って背後を確認する場合に、地上で振り返るよりも視野が狭くなる。特に、ウエットスーツを着用すると振り向き難く、背後を遊泳する仲間の確認が疎かになる場合がある。また、狭い水中岩場を遊泳するときに、振り返って背後を確認することができない場合がある。
【０００３】
一方、女性用の化粧道具として古くから手鏡が利用されている。手鏡は、手に鏡を持って手や腕の位置や角度を変えることにより自分の顔や髪型、或いは髪飾り等をいろいろな角度から観察することができる。このような手鏡を手や腕に装着すれば、手や指を使いながら、自分から見えにくい部分や背後の様子を確認することができるので便利である。
【０００４】
例えば、特許文献１には、ステンレス板の表面を鏡面研磨した筐体の裏面に指バンドを設け、手の指に装着して用いる手鏡が記載される。鏡面研磨したステンレス板を指に装着するので、掌や指を他の目的の作業に使用することができる。また、特許文献２には、掌よりも大きい鏡本体に保持具が装着された手鏡が記載される。保持具に掌や指を挿入することにより手鏡本体を弱い握力で保持することができる。また、特許文献３には、時計バンドに取り付けた鏡付きミニボックスから成るハンディミラーが記載される。ウオッチほどの大きさの鏡が腕バンドに取り付けられる。腕に装着して使用することができるので、ハンドバックから鏡を取り出すことなく腕時計の時刻を確認するようにして、口紅や顔を確認することができることが記載されている。
【先行技術文献】
【特許文献】
【０００５】
【特許文献１】実開平６−７９４２１号公報
【特許文献２】実用新案登録第３１１７８８１号公報
【特許文献３】実用新案登録第３０５７３０９号公報
【特許文献４】実用新案登録第３１５３５３０号公報
【発明の概要】
【発明が解決しようとする課題】
【０００６】
特許文献１に記載の手鏡は、バンド本体又は指バンドが鏡体に止着される。バンド本体又は指バンドは鏡体の長手方向の中央部であり鏡体の短手方向に沿って止着される。そのため、鏡体の長手方向の端部付近は指との間に隙間が生じる。この手鏡を指に装着して遊泳すると、鏡体の長手方向の端部付近と指との間に隙間が生じて水の抵抗が大きくなり、手鏡が遊泳の邪魔になってしまう。
【０００７】
また、特許文献２に記載の手鏡は、手鏡本体の面積が掌の面積よりも大きい。そして、手鏡本体の中央付近に保持具が装着され、この保持具に掌を挿入して利用する。この手鏡を掌や指に装着して遊泳すると、鏡体本体の水に対する抵抗が大きく、利用者にとって手鏡は遊泳の邪魔になってしまう。
【０００８】
また、特許文献３に記載の手鏡は、腕時計のウオッチ部に鏡を取り付けたものであり、鏡の面積が小さい。この鏡は腕に装着するので、掌、指又は手の甲に装着する場合よりも鏡の向きを変化させる範囲が狭くなり、バックミラーとしての視認範囲が限定される。
【課題を解決するための手段】
【０００９】
本発明の潜水用手鏡は、平板形状を有し反射面を正面から見る正面視で横長の鏡部と、前記鏡部の長手方向における両端近傍において前記鏡部に係合する伸縮性のバンドと、を備え、前記鏡部は、長手方向の幅が３ｃｍ〜１８ｃｍの範囲にあり、短手方向の幅が２ｃｍ〜１０ｃｍの範囲にあることとした。
【００１０】
前記バンドは前記鏡部の長手方向における両側面に係合することとした。
【００１１】
また、前記鏡部の長手方向における両端近傍に前記バンドを通す通し孔が開口し、前記バンドは前記通し孔に通されて前記鏡部と係合することとした。
【００１２】
また、前記通し孔は前記鏡部の板厚方向に貫通する貫通孔からなることとした。
【００１３】
また、前記鏡部は光を入反射する側の表面とは反対側の背面に前記通し孔を有するバンド保持部を備えることとした。
【００１４】
また、前記バンド保持部は前記鏡部の長手方向における一端近傍から他端近傍に亘って設置され、前記通し孔は前記鏡部の長手方向の一端近傍から他端近傍に亘って連通することとした。
【００１５】
また、前記バンド保持部の両端部において開口する前記通し孔の開口面は前記鏡部の表面から背面に向かう方向の側に向くこととした。
【００１６】
また、前記通し孔は前記バンド保持部の両端部において前記鏡部の表面から背面に向かう方向に内径が拡大する末広がりの形状を有することとした。
【００１７】
また、前記バンドは一本のエンドレス形状を有し、前記通し孔に通されて前記鏡部と係合することとした。
【００１８】
また、前記バンド保持部は、前記鏡部の短手方向における一端近傍に設置される第一のバンド保持部と他端近傍に設置される第二のバンド保持部とを有し、前記バンドは前記第一のバンド保持部と前記第二のバンド保持部との間において８の字状に設置されることとした。
【００１９】
また、前記バンド保持部は、前記鏡部の長手方向における一端近傍に設置される第三のバンド保持部と他端近傍に設置される第四のバンド保持部とを有し、前記第三及び第四のバンド保持部の各前記通し孔は、前記鏡部の短手方向の一端近傍から他端近傍に亘って連通することとした。
【００２０】
また、前記バンドは一本のゴム紐からなることとした。
【００２１】
また、前記鏡部は、光を入反射する側に凸の凸面鏡からなることとした。
【００２２】
また、前記バンドは、前記鏡部の長手方向の両端から前記鏡部の長手方向の幅ＬのＬ／５以内の領域において前記鏡部に係合することとした。
【００２３】
また、前記バンドは、前記鏡部の短手方向の両端から前記鏡部の短手方向の幅ＷのＷ／３以内の領域において前記鏡部に係合することとした。
【００２４】
また、前記バンドは、無負荷時の初期長に対し少なくとも１．５倍の長さに伸長可能であることとした。
【発明の効果】
【００２５】
本発明の潜水用手鏡は、平板形状を有し反射面を正面から見る正面視で横長の鏡部と、鏡部の長手方向における両端近傍において鏡部に係合する伸縮性のバンドと、を備え、鏡部は、長手方向の幅が３ｃｍ〜１８ｃｍの範囲にあり、短手方向の幅が２ｃｍ〜１０ｃｍの範囲にある。これにより、潜水用手鏡を掌や指に装着しても水の抵抗が少なく、しかも、伸縮性のバンドを使用するので装着後に鏡部の位置を簡便に変更することができる。
【図面の簡単な説明】
【００２６】
【図１】本発明の第一実施形態に係る潜水用手鏡の説明図である。
【図２】本発明の第二実施形態に係る潜水用手鏡の説明図である。
【図３】本発明の第三実施形態に係る潜水用手鏡の説明図である。
【図４】本発明の第三実施形態の変形例に係る潜水用手鏡の部分上面模式図である。
【図５】本発明の第四実施形態に係る潜水用手鏡の説明図である。
【図６】本発明の第五実施形態に係る潜水用手鏡の説明図である。
【図７】本発明の第六実施形態に係る潜水用手鏡の説明図である。
【図８】本発明の第七実施形態に係る潜水用手鏡の説明図である。
【発明を実施するための形態】
【００２７】
（第一実施形態）
図１は、本発明の第一実施形態に係る潜水用手鏡１の説明図である。図１（ａ）は潜水用手鏡１の正面模式図であり、図１（ｂ）は潜水用手鏡１の背面模式図であり、図１（ｃ）は潜水用手鏡１の上面模式図であり、図１（ｄ）及び図１（ｅ）は潜水用手鏡１を掌に装着した状態を表す模式図である。
【００２８】
図１（ａ）から（ｃ）に示すように、本発明の第一実施形態に係る潜水用手鏡１は、平板形状を有し、反射面を正面から見る正面視で横長の略長方形である鏡部２と、鏡部２の長手方向ｘにおける両端近傍において鏡部２に係合する伸縮性のバンド３とを備え、鏡部２は、長手方向ｘの幅が３ｃｍ〜１８ｃｍの範囲にあり、短手方向ｙの幅が２ｃｍ〜１０ｃｍの範囲にある。鏡部２は、透明板６の背面側の面に金属層７を備え、金属層７の透明板６とは反対側の表面及び鏡部２の側面は保護層８により保護される。金属層７は保護層８により覆われ、使用時の水や海水から保護される。バンド３は、ゴム製の帯から成り、鏡部２の背面に接着剤を介して接合される。バンド３を、鏡部２の背面であり、鏡部２の長手方向ｘの両端（左端ＬＥ及び右端ＲＥ）から鏡部２の長手方向ｘの幅ＬのＬ／５以内の領域に係合すれば、バンド３と鏡部２の係合地点よりも端部側の鏡部２の背面に当る水流に対する抵抗を小さく抑えることができる。また、バンド３の帯幅を鏡部２の短手方向ｙの幅ＷのＷ／３以上とすれば、鏡部２が短手方向ｙに当る水流により煽られて鏡部２の姿勢が不安定となるのを防止できる。
【００２９】
図１（ｄ）は、潜水用手鏡１を鏡部２が掌側になるように手に装着した状態を表す。鏡部２とバンド３の間に人差し指から小指の４本の指を通し、鏡部２が掌の略中央に位置するように潜水用手鏡１を掌に装着する。この場合、潜水用手鏡１を装着しながら５本の指を使用することができる。例えば、掌に潜水用手鏡１を装着しながら魚等の対象物を撮影するカメラを操作することができる。また、対象物から目を離すことなく潜水用手鏡１により背後を遊泳する仲間の位置や状況を素早く確認することができる。図１（ｅ）は、潜水用手鏡１を鏡部２が手の甲側になるように装着した状態を表す。潜水用手鏡１を手の甲に装着すれば、手の５本の指と掌を他の目的のために使用することができる。例えば、水中スクータを操作しながら、或いは手に銛を保持しながら手の甲を動かすことにより、装着者は背後を簡便に確認することができる。このように、潜水用手鏡１を掌や手の甲に装着すれば、手首や腕に装着する場合よりも鏡部２を大きく回転できるので、装着者は背後を広く観察することができる。また、潜水用手鏡１を手に装着するのが不便である時は、潜水用手鏡１を腕に装着してもよい。
【００３０】
また、潜水用手鏡１を鏡部２が掌側又は手の甲側になるように指に装着することができる。この場合も、潜水用手鏡１を装着しながら５本の指や掌を他の目的に使用することができ、必要に応じて鏡部２を介して装着者の背後を素早く簡便に確認又は観察することができる。
【００３１】
潜水用手鏡１は、指や掌等に直接装着してもよいし、水中手袋の上から装着してもよい。これらいずれの利用の際にも、水の抵抗が小さいほうがよい。そのため、鏡部２とバンド３の係合位置は、鏡部２の長手方向ｘの両端（左端ＬＥ及び右端ＲＥ）から鏡部２の長手方向ｘの幅ＬのＬ／５以内の領域とし、鏡部２の短手方向ｙの両端（上端ＵＥ及び下端ＤＥ）から鏡部２の短手方向ｙの幅ＷのＷ／３以内の領域とする。また、鏡部２が掌の横幅、或いは、水中手袋を装着したときの掌の部位の横幅を超えない大きさとすることが好ましい。従って、鏡部２は、長手方向ｘの幅Ｌが１８ｃｍを超えない長さとする。また、潜水用手鏡１を掌や手の甲に装着しながら指や掌を他の作業に使用可能とするために、鏡部２が掌の縦幅、或いは、水中手袋を装着したときの掌の部位の縦幅を超えない大きさとすることが好ましい。従って、鏡部２は、短手方向ｙの幅Ｗが１０ｃｍを超えない長さとする。また、背後の様子を確認するバックミラーとして機能させるために、鏡部２の長手方向ｘの幅Ｌは３ｃｍ以上、鏡部２の短手方向ｙの幅Ｗは２ｃｍ以上とすることが好ましい。
【００３２】
バンド３は、潜水用手鏡１を装着しない無負荷時の初期長に対し少なくとも１．５倍の長さに伸長可能とする。これにより、潜水用手鏡１は、鏡部２を掌、手の甲、或いは腕に装着するなどの装着位置の変更が容易となる。
【００３３】
なお、鏡部２は、透明板６として透明な合成樹脂板やガラス材料を使用することができる。金属層７としてアルミニウムや銀等の導電性の材料を使用することができる。保護層８として合成樹脂やプラスチック板を使用することができる。鏡部２として、表面を研磨した金属板を使用することができる。鏡部２は、正面視で楕円形或いは多角形であってもよいし、台形形状であってもよい。
【００３４】
（第二実施形態）
図２は、本発明の第二実施形態に係る潜水用手鏡１の説明図である。図２（ａ）は潜水用手鏡１の背面模式図であり、図２（ｂ）は潜水用手鏡１の上面模式図である。第一実施形態と異なる点は、バンド３が鏡部２の長手方向ｘの両端（左端ＬＥ及び右端ＲＥ）、即ち鏡部２の両側面に係合する点であり、その他の構成は第一実施形態と同様である。同一の部分または同一の機能を有する部分には同一の符号を付している。
【００３５】
図２に示すように、伸縮性のバンド３は鏡部２の長手方向ｘにおける両端、即ち鏡部２の両側面に係合する。バンド３は、ゴム製の帯から成り、鏡部２の左端ＬＥ（即ち左側面）及び右端ＲＥ（即ち右側面）に接着剤を介して接合される。バンド３の帯幅は、第一実施形態と同様に、鏡部２の短手方向ｙの幅ＷのＷ／３以上とする。その他、鏡部２の構成、材料、大きさ、及び、バンド３の無負荷時の初期長に対する伸張性は第一実施形態と同様である。このように、バンド３が鏡部２の両側面に係合するので、鏡部２の端部側の背面に当る水流が減少し、水に対する抵抗が低減する。
【００３６】
（第三実施形態）
図３は、本発明の第三実施形態に係る潜水用手鏡１の説明図である。図３（ａ）は潜水用手鏡１の背面模式図であり、図３（ｂ）は潜水用手鏡１の上面模式図である。図４は本発明の第三実施形態の変形例に係る潜水用手鏡１の部分上面模式図である。第一実施形態と異なる点は、鏡部２の背面にバンド保持部５を設置し、バンド保持部５はバンド３を通す通し孔４を備え、この通し孔４にバンド３を挿入し、バンド３と鏡部２が係合する点である。その他の構成は第一実施形態と同様である。同一の部分または同一の機能を有する部分には同一の符号を付している。
【００３７】
図３に示すように、潜水用手鏡１は、平板形状を有し、鏡を正面から見る正面視で横長の略長方形である鏡部２と、鏡部２の長手方向ｘにおける両端近傍において鏡部２に係合する伸縮性のバンド３とを備え、鏡部２は、長手方向ｘの幅が３ｃｍ〜１８ｃｍの範囲にあり、短手方向ｙの幅が２ｃｍ〜１０ｃｍの範囲にある。鏡部２の反射面は第一実施形態と同様である。鏡部２の背面にバンド３を通す通し孔４を有するバンド保持部５を備える。バンド３を通す通し孔４は鏡部２の長手方向ｘの両端近傍において開口し、バンド３は通し孔４に通されて鏡部２と係合する。
【００３８】
具体的には、バンド保持部５は、鏡部２の短手方向ｙにおける一端近傍（上端ＵＥ）に設置される第一のバンド保持部５ａと他端近傍（下端ＤＥ）に設置される第二のバンド保持部５ｂとを有する。第一及び第二のバンド保持部５ａ、５ｂは、それぞれ鏡部２の長手方向ｘにおける一端近傍（左端ＬＥ）から他端近傍（右端ＲＥ）に亘って設置され、第一及び第二のバンド保持部５ａ、５ｂの各通し孔４ａ、４ｂはそれぞれ鏡部２の長手方向ｘの一端近傍（左端ＬＥ）から他端近傍（右端ＲＥ）に亘って連通する。従って、第一及び第二のバンド保持部５ａ、５ｂは、バンド３を鏡部２に係合させるとともに、鏡部２の補強部材としても機能する。バンド保持部５として金属材料や樹脂材料を使用することができ、例えばゴム等の弾性体を使用すれば、装着時の肌触りがよい。
【００３９】
バンド３は、一本のエンドレス形状を有し、２つの通し孔４ａ、４ｂを通して鏡部２と係合する。バンド３は、第一のバンド保持部５ａと第二のバンド保持部５ｂの間において８の字状に、つまり襷掛けに交差して設置される。バンド３が一本のエンドレス形状であるため、潜水用手鏡１を指、掌、手の甲或いは腕に装着したときに、バンド３の張力が均等化し、第一のバンド保持部５ａと第二のバンド保持部５ｂがほぼ同じ張力で指、掌、手の甲等に巻きつく。そのため、遊泳中の水流によって潜水用手鏡１が短手方向ｙの一方側に傾くのを防止することができる。
【００４０】
バンド３は、ゴム製の紐から成り、無負荷時の初期長に対し少なくとも１．５倍の長さに伸長可能である。そのため、潜水用手鏡１は、鏡部２を指、掌、手の甲、或いは腕に装着するなどの装着位置の変更が容易となる。第一及び第二のバンド保持部５ａ、５ｂの長手方向ｘの端部は、第一実施形態と同様に、鏡部２の背面であり、鏡部２の長手方向ｘの両端（左端ＬＥ及び右端ＲＥ）から鏡部２の長手方向ｘの幅ＬのＬ／５以内の領域に位置する。また、第一及び第二のバンド保持部５ａ、５ｂは、鏡部２の背面であり、鏡部２の短手方向ｙの両端（上端ＵＥ及び下端ＤＥ）から鏡部２の短手方向ｙの幅ＷのＷ／３以内の領域に位置する。従って、バンド３は、鏡部２の背面であり、鏡部２の長手方向ｘの両端から鏡部２の長手方向ｘの幅ＬのＬ／５以内の領域に係合するとともに、鏡部２の短手方向ｙの両端から鏡部２の短手方向ｙの幅ＷのＷ／３以内の領域に係合する。そのため、鏡部２は水流に煽られて姿勢が不安定となることがない。
【００４１】
なお、本実施形態ではバンド３は一本のエンドレス形状を有するが、これに代えて、第一のバンド保持部５ａに第一のバンドを、第二のバンド保持部５ｂに第二のバンドをそれぞれ通して、バンド３を２本に分割してもよい。また、鏡部２は第一実施形態と同様の構造とすることができるが、例えば、保護層８を保護カバーとして用いる場合、或いは保護層８とは別に保護層８の背面側に保護カバーを用いる場合は、第一及び第二のバンド保持部５ａ、５ｂをこの保護カバーにより覆ってもよい。保護カバーが金属層７の背面の全面を覆う場合は、第一及び第二のバンド保持部５ａ、５ｂの通し孔４が開口する位置の保護カバーに貫通孔を設け、バンド３を保護カバーの貫通孔を通して第一及び第二のバンド保持部５ａ、５ｂに通してもよい。保護カバーを設けることにより鏡部２の背面が平坦化するので、潜水用手鏡１が指、掌、手の甲等にフィットする。
【００４２】
また、鏡部２の背面に保護カバーを設ける場合は、第一及び第二のバンド保持部５ａ、５ｂを除去し、第一及び第二のバンド保持部５ａ、５ｂが開口する保護カバーの位置に貫通孔を設け、この貫通孔にバンド３を通してもよい。また、保護層８の背面側にモールド樹脂を設置し、第一及び第二のバンド保持部５ａ、５ｂをモールド樹脂に埋め込むことができる。これにより、鏡部２の背面側が平坦化し、潜水用手鏡１が指、掌、手の甲等により一層フィットする。
【００４３】
（変形例）
図４に示すように、バンド保持部５の両端部において開口する通し孔４の開口面Ｋは鏡部２の背面方向Ｈ（鏡部２の表面から背面に向かう方向）の側に向く。また、バンド保持部５の通し孔４はバンド保持部５の両端部において内径が拡大する末広がりの形状を有する。また、通し孔４は、バンド保持部５の両端部において鏡部２とは反対側の内側面がバンド保持部５の長手方向に沿って曲面形状Ｒを有する。これにより、潜水用手鏡１を指、掌、手の甲等に装着する際の装着位置の変更が容易となる。
【００４４】
図４において、実線で示すバンド３は、潜水用手鏡１を指、掌、手の甲等に装着しているときの状態を表し、破線で示すバンド３’は、潜水用手鏡１を装着後に鏡部２を移動させるときの状態を表す。鏡部２を移動させるときは、鏡部２を掴んで引っ張って移動させるのでバンド３は伸長し、通し孔４の開口部で折り曲がる。そのため、バンド３は通し孔４の角部、特に通し孔４の鏡部２とは反対側の内側面に強く当たり、バンド３の引っ張る方向に大きな摩擦力が働く。そこで、バンド保持部５の両端部において、開口する通し孔４の開口面Ｋを背面方向Ｈの側に向け、通し孔４の内径が拡大する末広がりの形状とし、また、通し孔４の鏡部２とは反対側の内側面をバンド保持部５の長手方向に沿って曲面形状Ｒとする。これにより、バンド３に対する摩擦力が低下し、バンド３が通し孔４を移動し易くなる結果、バンド３の張力が低下して鏡部２の移動が容易となる。
【００４５】
（第四実施形態）
図５は、本発明の第四実施形態に係る潜水用手鏡１の説明図である。図５（ａ）は潜水用手鏡１の背面模式図であり、図５（ｂ）は潜水用手鏡１の上面模式図である。第三実施形態と異なる点は、バンド保持部５が鏡部２の短手方向ｙにおける一端近傍（上端ＵＥ）から他端近傍（下端ＤＥ）に亘って設置される点であり、その他の構成は第三実施形態と同様である。従って、以下、主に第三実施形態と異なる点について説明し、同一の構成については説明を省略する。同一の部分又は同一の機能を有する部分には同一の符号を付している。
【００４６】
図５に示すように、バンド保持部５は、鏡部２の長手方向ｘにおける一端近傍（左端ＬＥ）に設置される第三のバンド保持部５ｃと他端近傍（右端ＲＥ）に設置される第四のバンド保持部５ｄとを有する。第三及び第四のバンド保持部５ｃ、５ｄは、それぞれ鏡部２の短手方向ｙにおける一端近傍（上端ＵＥ）から他端近傍（下端ＤＥ）に亘って設置され、第三及び第四のバンド保持部５ｃ、５ｄの各通し孔４ｃ、４ｄはそれぞれ鏡部２の短手方向ｙの一端近傍（上端ＵＥ）から他端近傍（下端ＤＥ）に亘って連通する。バンド３は、一本のエンドレス形状を有し、２つの通し孔４ｃ、４ｄに通されて鏡部２と係合する。バンド３は、第三のバンド保持部５ｃと第四のバンド保持部５ｄの間において８の字状に、つまり襷掛けに交差して設置される。バンド３が一本のエンドレス形状であるため、潜水用手鏡１を指、掌、手の甲或いは腕に装着したときに、バンド３の張力が均等化し、第一のバンド保持部５ａと第二のバンド保持部５ｂがほぼ同じ張力で指、掌、手の甲等に巻きつく。
【００４７】
第三及び第四のバンド保持部５ｃ、５ｄは、鏡部２の背面であり、鏡部２の長手方向ｘの両端（左端ＬＥ及び右端ＲＥ）から鏡部２の長手方向ｘの幅ＬのＬ／５以内の領域に位置する。また、第三及び第四のバンド保持部５ｃ、５ｄの短手方向ｙの端部は、鏡部２の背面であり、鏡部２の短手方向ｙの両端（上端ＵＥ及び下端ＤＥ）から鏡部２の短手方向ｙの幅ＷのＷ／３以内の領域に位置する。従って、バンド３は、鏡部２の背面であり、鏡部２の長手方向ｘの両端から鏡部２の長手方向ｘの幅ＬのＬ／５以内の領域において鏡部２に係合するとともに、鏡部２の短手方向ｙの両端から鏡部２の短手方向ｙの幅ＷのＷ／３以内の領域において鏡部２に係合する。そのため、鏡部２は水流に煽られて姿勢が不安定となることがない。その他の構成は第三実施形態と同様なので、説明を省略する。
【００４８】
なお、鏡部２は第一実施形態と同様の構造とすることができるが、例えば、保護層８として、又は保護層８の背面側に保護カバーを用い、第三及び第四のバンド保持部５ｃ、５ｄをこの保護カバーにより覆ってもよい。保護カバーが金属層７又は保護層８の背面の全面を覆う場合は、第三及び第四のバンド保持部５ｃ、５ｄの通し孔４が開口する位置の保護カバーに貫通孔を設け、バンド３を保護カバーの貫通孔を通して第三及び第四のバンド保持部５ｃ、５ｄに通してもよい。保護カバーを設けることにより鏡部２の背面が平坦化するので、潜水用手鏡１が掌にフィットする。また、鏡部２の背面に保護カバーを設ける場合には、第三及び第四のバンド保持部５ｃ、５ｄを除去し、第三及び第四のバンド保持部５ｃ、５ｄが開口する保護カバーの位置に貫通孔を設け、この貫通孔にバンド３を通してもよい。また、第三実施形態の変形例は本実施形態における第三及び第四のバンド保持部５ｃ、５ｄに適用することができる。
【００４９】
（第五実施形態）
図６は本発明の第五実施形態に係る潜水用手鏡１の説明図である。図６（ａ）は潜水用手鏡１の正面模式図であり、図６（ｂ）は潜水用手鏡１の背面模式図である。同一の部分または同一の機能を有する部分には同一の符号を付している。
【００５０】
図６に示すように、鏡部２の長手方向ｘにおける両端近傍にバンド３を通す通し孔４ａ〜４ｄが開口し、バンド３は通し孔４ａ〜４ｄを通して鏡部２と係合する。具体的には、鏡部２は、長手方向ｘの一端近傍（左端ＬＥ）に通し孔４ａ、４ｂを、他端近傍（右端ＲＥ）に通し孔４ｃ、４ｄを備える。なお、通し孔４ａ、４ｃは鏡部２の短手方向ｙの一端近傍（上端ＵＥ）に位置し、通し孔４ｂ、４ｄは短手方向ｙの他端近傍（下端ＤＥ）に位置する。各通し孔４ａ、４ｂ、４ｃ、４ｄは鏡部２の板厚方向に貫通する貫通孔から成る。バンド３は一本のエンドレス形状を有し、鏡部２の表面側では通し孔４ａと通し孔４ｂの間、及び、通し孔４ｃと通し孔４ｄの間に平行して掛り、鏡部２の背面側では通し孔４ａと通し孔４ｄの間、及び、通し孔４ｂと通し孔４ｃの間に襷掛けに交差して掛る。バンド３は一本のエンドレス形状であるため、潜水用手鏡１を指、掌、手の甲或いは腕に装着したときに、バンド３の張力が均等化し、ほぼ同じ張力で指、掌、手の甲等に巻きつく。
【００５１】
より具体的には、通し孔４ａ、４ｂ及び通し孔４ｃ、４ｄは、鏡部２の長手方向ｘの両端（左端ＬＥ及び右端ＲＥ）から鏡部２の長手方向ｘの幅ＬのＬ／５以内の領域に位置する。また、通し孔４ａ、４ｃ及び通し孔４ｂ、４ｄは、鏡部２の短手方向ｙの両端（上端ＵＥ及び下端ＤＥ）から鏡部２の短手方向ｙの幅ＷのＷ／３以内の領域に位置する。従って、バンド３は、鏡部２の長手方向ｘの両端（左端ＬＥ及び右端ＲＥ）から鏡部２の長手方向ｘの幅ＬのＬ／５以内の領域において鏡部２に係合するとともに、鏡部２の短手方向ｙの両端（上端ＵＥ及び下端ＤＥ）から鏡部２の短手方向ｙの幅ＷのＷ／３以内の領域において鏡部２に係合する。そのため、鏡部２は水流に煽られて姿勢が不安定となることがない。
【００５２】
なお、本実施形態では３は一本のエンドレス形状を有するが、これに代えて、通し孔４ａと通し孔４ｃの間に第一のバンドを、及び、通し孔４ｂと通し孔４ｄの間に第二のバンドをそれぞれ通して、バンド３を２本に分割してもよい。この場合、各通し孔４ａ、４ｂ、４ｃ、４ｄを通すバンド３の先端に各通し孔４ａ、４ｂ、４ｃ、４ｄの内径よりも直径の大きなストッパーを設置しておく。また、バンド３を２本に分割し、通し孔４ａと通し孔４ｄの間に第一のバンドを通し、通し孔４ｂと通し孔４ｃの間に第二のバンドを通し、鏡部２の正面側において各バンドの端部にストッパーを設け、鏡部２の背面側で襷掛けに交差させてもよい。
【００５３】
（第六実施形態）
図７は本発明の第六実施形態に係る潜水用手鏡１の説明図である。図７（ａ）は潜水用手鏡１の上面模式図であり、図７（ｂ）は潜水用手鏡１を長手方向ｘから見る側面模式図である。同一の部分または同一の機能を有する部分には同一の符号を付している。
【００５４】
図７に示すように、潜水用手鏡１は、平板形状を有し、反射面を正面から見る正面視で横長の鏡部２と、鏡部２の長手方向ｘにおける両端近傍において鏡部２に係合する伸縮性のバンド３と、を備える。鏡部２は、光を反射する側に凸の凸面鏡からなる。具体的には、鏡部２は長手方向ｘ及び短手方向ｙに関し凸形状を有する。そのため、潜水用手鏡１を指、掌、手の甲或いは腕に装着して背後を観察する際に、背後の左右方向と上下方向を広く観察することができる。なお、鏡部２の凸面は、長手方向ｘのみ凸面であっても、また、短手方向ｙのみに凸面であってもよい。また、バンド３及び通し孔４は第四又は第五実施形態と同様であってもよい。なお、本実施形態における鏡部２は第１〜第５実施形態の鏡部２に適用することができる。
【００５５】
（第七実施形態）
図８は本発明の第七実施形態に係る潜水用手鏡１の説明図である。図８（ａ）は潜水用手鏡１の正面模式図であり、図１（ｂ）は潜水用手鏡１を掌に装着した状態を表す模式図である。第一〜第六実施形態の潜水用手鏡１と異なる点は鏡部２の形状であり、その他の構成は第一〜第六実施形態と同様である。同一の部分又は同一の機能を有する部分には同一の符号を付している。
【００５６】
図８（ａ）に示すように、本発明の第七実施形態に係る潜水用手鏡１の鏡部２は、平板形状を有し、反射面を正面から見る正面視で略台形形状を有する。鏡部２の上端ＵＥが台形の下底であり、鏡部２の下端ＤＥが台形の上底である。図８（ｂ）に示すように、台形の下底（上端ＵＥ）を指側に、台形の上底（下端ＤＥ）を手首側にして鏡部２を掌や指に装着すれば、掌や指を他の目的のために自由に動かすことができ、必要に応じて鏡部２を介して装着者の背後を素早く確認又は観察することができる。
【符号の説明】
【００５７】
１  潜水用手鏡
２  鏡部
３  バンド
４、４ａ、４ｂ、４ｃ、４ｄ  通し孔
５  バンド保持部、５ａ  第一のバンド保持部、５ｂ  第二のバンド保持部、５ｃ  第三のバンド保持部、５ｄ  第四のバンド保持部
６  透明板
７  金属層
８  保護層
ＵＥ  上端、ＤＥ  下端、ＲＥ  右端、ＬＥ  左端、Ｋ  開口面、Ｒ  曲面形状
ｘ  長手方向、ｙ  短手方向、Ｈ  背面方向
Ｌ  長手方向の幅、Ｗ  短手方向の幅
【図１】
2017052298.tif 000003
【図２】
2017052298.tif 000004
【図３】
2017052298.tif 000005
【図４】
2017052298.tif 000006
【図５】
2017052298.tif 000007
【図６】
2017052298.tif 000008
【図７】
2017052298.tif 000009
【図８】
2017052298.tif 000010